(57)【要約】【課題】従来の電子体温計の体温データをコンピュータに伝送する通信端子を設けたものがあったが、体温を測定する検温部と、コンピュータ内に通信して記録する通信端子を含む記録部を単一のケースで保護するものはなかった。【解決手段】本体ケースと、被験物の温度を検知した温度データを出力する検温部と、該検温部で検出した前記温度データを外部に配した外部に出力可能な記録部と、前記本体ケースに取り付けられ、前記検温部と前記記録部とを選択的に進退可能とする操作部材とが設けられた温度計を提供し、前記検温部と前記記録部とを単一ケースで保護する。【選択図】図３
2013164265.tif 000002
【特許請求の範囲】
【請求項１】
ケースと、該ケースに収容され、前記ケースに設けられた開口部を介して、前記ケースに設けられた被験物の体温を検知した体温データを出力する検温部と該検温部で検出した前記体温データを外部に出力を可能とする記録部と、前記検温部と前記記録部の一方を前記ケースから突出または前記ケース内に退避、及び前記検温部と前記記録部の両者を前記ケース内に退避自在の操作部材と、を備えた電子体温計。
【請求項２】
前記記録部は、外部管理装置に接続し、前記体温データを送信するための通信端子である請求項１に記載の電子体温計。
【請求項３】
前記通信端子を介して被験者を識別する被験者ＩＤを入力可能な請求項２に記載の電子体温計。
【請求項４】
前記記録部は、ボールペン、鉛筆等の筆記用具である請求項１に記載の電子体温計。
【請求項５】
前記検温部はスイッチの動作によって検温を開始し、検温開始から所定時間経過後にのみ体温データを出力可能にする制御部を備えた請求項１に記載の電子体温計。
【請求項６】
前記制御部は、前記体温データを前記外部管理装置に送信のためのスイッチの動作によって送信開始するよう制御する請求項２に記載の電子体温計。
【請求項７】
前記通信端子はユニバーサル・シリアル・バス・インターフェース・モジュール及びユニバーサル・シリアル・バス規格仕様のシリーズＡプラグである請求項２に記載の電子体温計。
【請求項８】
前記開口部に植毛部が設けられた請求項１に記載の電子体温計。
【請求項９】
前記検温部及び前記記録部の前記ケースに対する突出を妨げる開閉可能部材を備えた請求項１に記載の電子体温計。
【発明の詳細な説明】
【技術分野】
【０００１】
本発明は、被験者の体温を測定する電子体温計で測定した体温データを外部に設けられた外部管理装置に体温データを出力することが可能な電子体温計に関する。
【背景技術】
【０００２】
特許文献１に示された電子体温計は、先端部位のプローブに体温センサーを配し、この体温センサーで検出した体温をパソコンに伝送する装置である。
【０００３】
電子体温計６１は、図２４に示すように、検温部６３が、熱伝導率が大きな金属によって略キャップ状に形成されケース体６２の先端に露出されて組み付けられたプローブ６４と、このプローブ６４と接続された不図示の体温センサ−とから構成される。電子体温計６１には、ケース体６２の一方主面に液晶表示部６６が設けられている。電子体温計６１には、ケース体６２の主面に検温ボタン６７と機能切換部を構成する機能切換ボタン６８とが設けられている。電子体温計６１には、ケース体６２の検温部６３と対向する他方側の端部にキャップ６９が着脱自在に組み合わされる。すなわち、一端に検温部を、他端にはキャップ６９が着脱自在の不図示のパソコンに体温データを伝送するためのユニバーサル・シリアル・バス・インターフェース・モジュール用のＵＳＢ端子６５を備えている。
【０００４】
特許文献２に示された体温計付筆記用具は、図２５に示すように、筆記用具本体の一端部に検温部７１を設けると同時に、表示部７２と、筆記部７３を一体化し、検温部７１を保護する検温部保護キャップ７４が設けられている。
【先行技術文献】
【特許文献】
【０００５】
【特許文献１】特開２００６−２３４４５２号公報
【特許文献２】実開平２−１０９９０号公報
【発明の概要】
【発明が解決しようとする課題】
【０００６】
特許文献１に示された電子体温計６１のＵＳＢ端子６５をカバーするキャップ６９は着脱、または薄肉連結部を介して取付可能である。キャップ６９を取り外した場合は、取り付けるのを忘れて紛失する可能性がある。またキャップ６９を薄肉連結部で結合する場合に、誤って薄肉連結部を切断して紛失する可能性がある。そうすることによりＵＳＢ端子６５が傷ついて使用不可能になる危険性がある。また検温部６３も露出しているので、傷ついて使用できなくなるか、それを覆うカバーが必要となる。
【０００７】
特許文献２に示された体温計付筆記用具は検温部７１を保護する検温部保護キャップ７４が設けられ、また筆記部７３は先端が尖っており、また先端が傷ついて筆記できなくなる危険性があるので不図示であるが保護するために別途筆記部保護キャップが必要である。
【０００８】
本発明は、ＵＳＢ端子のような通信端子と体温計とが一体的に構成された体温計または体温計と筆記用具が一体的に構成されていた体温計の問題点を解決しようとするものであり、体温を検出する検温部と検温部で検出した体温データを伝送する通信端子を、体温計本体そのもので検温部、通信端子を保護し、また体温計と筆記用具が一体的に構成されていた問題点は体温を検出する検温部と筆記用具とを体温計本体そのもので一体的に保護することを目的とするものである。
【課題を解決するための手段】
【０００９】
本発明の請求項１は、ケースと、該ケースに収容され、前記ケースに設けられた開口部を介して、前記ケースに設けられた被験物の体温を検知した体温データを出力する検温部と該検温部で検出した前記体温データを外部に出力を可能とする記録部と、前記検温部と前記記録部の一方を前記ケースから突出または前記ケース内に退避、及び前記検温部と前記記録部の両者を前記ケース内に退避自在の操作部材と、を備えた電子体温計を提供するものである。
【００１０】
請求項２は、前記記録部は、外部管理装置に接続し、前記体温データを送信するための通信端子である請求項１に記載の電子体温計を提供するものであり、請求項３は、前記通信端子を介して被験者を識別する被験者ＩＤを入力可能な請求項２に記載の電子体温計であり、請求項４は、前記記録部は、ボールペン、鉛筆等の筆記用具である請求項１に記載の電子体温計を提供するものである。
【００１１】
請求項５は、前記検温部はスイッチの動作によって検温を開始し、検温開始から所定時間経過後にのみ体温データを出力可能にする制御部を備えた請求項１に記載の電子体温計を提供し、請求項６は、前記制御部は、前記体温データを前記外部管理装置に送信のためのスイッチの動作によって送信開始するよう制御する請求項２に記載の電子体温計を提供するものであり、請求項７は、前記通信端子はユニバーサル・シリアル・バス・インターフェース・モジュール及びユニバーサル・シリアル・バス規格仕様のシリーズＡプラグである請求項２に記載の電子体温計を提供するものである。
【００１２】
請求項８は、前記開口部に植毛部が設けられた請求項１に記載の電子体温計を提供し、請求項９は、前記検温部及び前記記録部の前記ケースに対する突出を妨げる開閉可能部材を備えた請求項１に記載の電子体温計を提供するものである。
【発明の効果】
【００１３】
上述したように、本発明は、ケースと、該ケースに収容され、前記ケースに設けられた開口部を介して、前記ケースに設けられた被験物の体温を検知した体温データを出力する検温部と該検温部で検出した前記体温データを外部に出力を可能とする通信端子または筆記用具である記録部と、前記検温部と前記記録部の一方を前記ケースから突出または前記ケースに退避、及び前記検温部と前記記録部の両者を退避自在の操作部材と、を備えた電子体温計であり、それぞれを覆う蓋を別途に設けた場合に比べて、不用意に前記蓋を紛失することを心配する必要がなくなる。さらに前記検温部と前記記録部がワンタッチで進退可能なことから、従来のケースから取り出さずにワンタッチで前記検温部を突出させて被験者の体温を容易に測定できる。
【図面の簡単な説明】
【００１４】
【図１】本発明の体温計を示す第１の例の斜視図
【図２】記録部である通信端子を突出させた斜視図
【図３】第１の例で検温部及び通信端子の両者が本体ケースから非突出状態を示す図
【図４】第１の例で本体ケースを上から見た図
【図５】第１の例で本体ケースの内部を通信端子側から見た、図２におけるＸ−Ｘ断面図
【図６】第１の例で本体ケースの内部を検温部側から見た、図２におけるＹ−Ｙ断面図
【図７】第１の例で通信端子が非突出状態から突出状態に変位する過程を示す図
【図８】第１の例で通信端子が突出状態を示す図
【図９】第１の例で検温部の突出状態を示す図
【図１０】第１の例における表示板の表示内容を示す図
【図１１】第１の例における表示板の構造を示す図
【図１２】本発明を構成する各要素の作動を制御するブロック図
【図１３】本発明を構成する各要素の作動を示すフローチャート
【図１４】本発明の体温計を示す第２の例の斜視図
【図１５】第２の例で本体ケースを上から見た図
【図１６】本発明の体温計の第２の例で検温部及び通信端子の非突出状態を示す図
【図１７】第１の例で本体ケースの内部を通信端子側から見た、図１１におけるＵ−Ｕ断面図
【図１８】第２の例で本体ケースの内部を検温部側から見た、図１１におけるＶ−Ｖ断面図
【図１９】第２の例で通信端子の突出状態を示す図
【図２０】第２の例で検温部の突出状態を示す図
【図２１】本発明の体温計を示し、体温計に被験者ＩＤ、体温計ＩＤをＩＤ入力部材を用いて入力する第３の例
【図２２】本発明の体温計を示し、記録部が筆記用具である第４の例
【図２３】第４の例を構成する各要素の作動を制御するブロック図
【図２４】従来例１
【図２５】従来例２
【発明を実施するための形態】
【００１５】
図１は、本発明の体温計を示す第１の例の斜視図を示す。
【００１６】
１は、体温を測定する検温部と測定されたデータを外部に送信するための通信端子とを収容する体温計の本体ケースで、１Ｐは、本体ケース１の上方部を覆うための本体ケース上蓋を示し、本体ケース１と本体ケース上蓋１Pとを接着または不図示のビス等の固定部材で固定する。
【００１７】
本体ケース１の一側であるＡ面側では、２は、後述の検温部が出入する円形状の植毛植立部を、３は、植毛植立部２に植毛を施した植毛部を示す。植毛部３は、高圧静電界における静電吸引力を利用しあらかじめ接着剤を塗布した基材である植毛植立部２に短繊維を垂直に投錨させるもので、その後接着剤層を乾燥させることにより投錨したパイルを固定させ必要な強度を得る植毛部が植立てられている。Ｂ面側は１Ｑで示す本体ケース側蓋が設けられ、本体ケース側蓋１Ｑにも後述するように開口部があり、植毛が植立てられている。
【００１８】
４は、後述の検温部及び通信端子を本体ケース１から出入させるため、本体ケース上蓋１Pの後述する１Ａで示す長孔から突出し、使用者が検温部、通信端子を本体ケース１から突出させるための操作部材を示し、本体ケース上蓋１Pに、後述する検温部の突出方向を指示する検温部側マークを５で、操作部材４の移動方向を指示する矢印を５Ａで、通信端子側マークを６で示し、後述する通信端子の突出方向の移動を指示する矢印を６Ａで示す。
【００１９】
７は、不図示の電源が供給された状態で、押圧することにより検温開始する検温釦、８は、後述する検温部で検出した体温データを不図示のコンピュータに送信するための送信釦、９は、測定された体温、測定した測定日、被測定者等のデータを表示する表示部を示す。
【００２０】
図２は、本発明の体温計を示す第１の例で、通信端子を本体ケースより突出した状態を示す。
【００２１】
１０は、本体ケース１の本体ケース側蓋１Ｑより突出した通信端子を示し、通信端子１０は、計測した体温データを外部の不図示のコンピュータに出力する機能と、不図示のコンピュータから本発明の体温計に、あらかじめ前記コンピュータに入力した被験者を識別する被験者ＩＤ、体温計を識別する体温計ＩＤ、年月日及び時刻情報を入力する機能を有する。
【００２２】
図３は、本発明の第１の例における体温計で後述する検温部と通信端子の両者が本体ケース１に対して非突出の状態、すなわち前記検温部と前記通信端子が本体ケース１に収容されている状態を示す。
【００２３】
操作部材４は、１０で示す通信端子を固定する通信端子固定部４Ａと、本体ケース上蓋１Pに設けられた長溝１Ａを貫通した４Ｂで示す軸部と、４Ｄで示す腕部と、通信端子固定部４Ａと軸部４Ｂの間を中継し、本体ケース１の、１Ｓで示す本体ケース内底部を摺動する、４Ｅで示す摺動部と結合している。また後述の図４で示すように摺動部４Eは１Ｔ１と不図示の１Ｔ２で示すように内底部１Ｓから立ち上がった壁部で形成する溝の中を、倒れることなくスムーズに摺動するように構成されている。
【００２４】
本体ケース１の内部に配され、１１はバネで、特に圧縮性のバネを示し、１２で示すプリント基板固定部と本体ケース１の一部である１３で示すバネ受け部の間にあって後述のプリント基板を固定するプリント基板固定部１２を図面上で右方向に付勢し、操作部材４と一体の通信端子固定部４Ａも図面上右方向に付勢されている。操作部材４の本体ケース上蓋１Ｐの側に設けられた爪部４Ｃ１、４Ｃ２が本体ケース上蓋１Ｐに設けられた係止孔１Ｂ１、１Ｂ２に係止して操作部材４の移動は係止されている。
【００２５】
爪部４Ｃ１は、後述の図３で示すように本体ケース上蓋１Ｐに設けられた１Ｂ１、１Ｃ１、１Ｄ１で示す係止孔の内、１つの係止孔と係止するとともに、爪部４Ｃ２は本体ケース１に設けられ、係止孔１Ｂ１、１Ｃ１、１Ｄ１と対向する１Ｂ２、１Ｃ２、１Ｄ２で示す係止孔の１つと略同時に係止する。図２の状態では爪部４Ｃ１、４Ｃ２は係止孔１Ｂ１、１Ｂ２に係止しているが、操作部材４の後端部４Ｆを押すと軸４Ｂは点線方向に移動し、爪４Ｃ１、４Ｃ２と係止孔１Ｂ１、１Ｂ２との係止が外れ、次の係止孔と係止可能になる。操作部材４を、図面上で左右方向に操作すると、摺動部４Ｅは本体ケース底部に設けられた壁１Ｔ１，１Ｔ２の間を倒れることなく本体ケース１の本体ケース内底部１Ｓと摺動する。
【００２６】
摺動部４Ｅと結合しているプリント板固定部１２に、バネ１１の内側にある１４で示す軸、１５で示す体温を測定する検温部が結合している。
【００２７】
検温部１５は、例えば温度により抵抗値が変化するサーミスタのような温度検出素子により検出した温度を制御回路１２Ｉに内蔵された不図示のＡ／Ｄ変化器を介してデジタル値として処理する。
【００２８】
また、プリント板固定部１２に取り付けられた１２Ａで示すプリント板の上に１２Ｂで示す発光素子、１２Ｉで示す制御回路、不図示のプリント配線部が設けられている。また、本体ケース上蓋１Ｐに、３つのそれぞれ１Ｂ３で示す収納用受光素子、１Ｃ３で示す通信端子側受光素子、１Ｄ３で示す検温部側受光素子を１Ｘで示す受光素子取付板が固定され、プリント板固定部１２に取り付けられたプリント板１２Ａに対向して配置されている。図２の状態では爪部４Ｃ１、４Ｃ２が係止孔１Ｂ１、１Ｂ２に係止しているときは、発光素子１２Bが収納用受光素子１Ｂ３とが対向した状態になり、収納用受光素子１Ｂ３に発光素子１２Ｂの光が入射するように、発光素子１２Ｂの投射角とほぼ等しい受光角の通信端子側受光素子１Ｂ３が選択されており、通信端子側受光素子１Ｂ３、検温側受光素子１Ｄ３、これらの受光素子の間にある収納用受光素子１Ｃ３の受光角もほぼ同一の受光素子が選択される。
【００２９】
収納用受光素子１Ｂ３に発光素子１２Ｂの光が入射したときに、プリント板１２Ａに配された制御回路１２Ｉが、収納用受光素子１Ｂ３の出力が他の受光素子の出力よりも大きいと判断したときに検温部１５および通信端子１０が本体ケース１の中に収納されていることが後述の図９で示す表示部９の「収納中」の文字に隣接した点光源が点灯される。
【００３０】
通信端子１０はユニバーサル・シリアル・バス・インターフェース・モジュール及びユニバーサル・シリアル・バス規格仕様のＵＳＢ端子としているが、ＵＳＢ端子ばかりでなくＩＥＥＥ１３９４端子等の通信端子でもよい。
【００３１】
本体ケース１の検温部１５の側に設けた植毛植立部２には植毛部１７が設けられ、その反対側には、側蓋１Ｑに１７で示す植毛植立部が設けられ、植毛植立部１７に１８で示す植毛を施した植毛部を設けられる。
【００３２】
図４は、本発明に用いられる本体ケース１の本体ケース上蓋１Ｐを、操作部材４を取り外した状態を示す図で、プリント板１２Ａ上に配された制御回路１２Ｉに対して、検温釦７の不図示の電気回路部と、送信釦８の不図示の電気回路部と、プリント板１２Ａ上の発光素子１２Ｂと、受光素子取付板１Ｘ上の収納用受光素子１Ｂ３、通信端子側受光素子１Ｃ３、検温部側受光素子１Ｄ３とが不図示の回路線で接続している。
【００３３】
操作部材４が移動するための長溝１Ａに対して操作部材４に設けられた爪部４Ｃ１、４Ｃ２が、爪部４Ｃ１が係止する係止孔１Ｂ１、１Ｃ１、１Ｄ１と対向する係止孔１Ｂ２、１Ｃ２、１Ｄ２が設けられている。係止した状態のとき、プリント板固定部１２に取り付けられた発光素子１２Ｂは、本体ケース上蓋１Ｐの裏面に取り付けられた受光素子取付板１Ｘに載置された収納用受光素子１Ｂ３、通信端子側受光素子１Ｃ３、検温部側受光素子１Ｄ３の一つと対向するように配置する。そして発光素子１２Ｂがプリント板１２Ａの一端側にあり、制御回路１２Ｉは他端側に位置に配置されている。
【００３４】
操作部材４と一体に移動するプリント固定部材１２に配された発光素子１２Ｂの光を、受光素子取付板１Ｘに載置された収納用受光素子１Ｂ３が受光したときに、図１２、図１３で述べるが、制御回路１２Ｉに収納用受光素子１Ｂ３の信号の信号が制御回路１２Ｉに入力され、前述したように表示部９の「収納中」の文字に隣接した、点光源が点灯する。それは、検温部１５、通信端子１０の両者を本体ケースに対して非突出すなわち収納状態であることを意味する。
【００３５】
発光素子１２Ｂの光を、検温部側受光素子１Ｄ３が受光したときに、制御回路１２Ｉに検温部側受光素子１Ｄ３の信号が制御回路１２Ｉに入力され、検温部１５が突出状態であることを表示部９に「検温可能」と示された文字に隣接した、点光源が点灯する。検温釦７を押すことにより制御回路１２Ｉが作動して検温を開始し、所定時間後にのみ測定値が表示部９に表示される。
【００３６】
発光素子１２Ｂの光を、通信端子側受光素子１Ｃ３が受光したときに、制御回路１２Ｉに通信端子側受光素子１Ｃ３の信号の信号が制御回路１２Ｉに入力され、通信端子１０が突出状態となり、表示部９に「送信可能」と示された文字に隣接した、点光源が点灯する送信釦８を押すことにより制御回路１２Ｉが作動して検温された温度が、通信端子１０を接続して後述のコンピュータに送信される。
【００３７】
図５は、検温部１５および通信端子１０が本体ケース１および側壁１Ｑの中に収納されている図２におけるＸ−Ｘ断面図を示す。
【００３８】
操作部材４が、本体ケース上蓋１Ｐに設けられた長溝１Ａを軸部４Ｂが貫通し、軸部４Ｂに接続する摺動部４Ｅに接続する通信端子固定部４Ａに通信端子１０が固定されている。また操作部材４と一体の爪部４Ｃ１、４Ｃ２が、本図では本体ケース１に設けられた係止孔１Ｂ１、係止孔１Ｂ２にそれぞれ係止している。操作部材４を本体ケース１の長溝１Ａに沿って移動させると摺動部４Ｅは本体ケース１の内側の底部１Ｓを摺動しながら移動し、それに伴って通信端子１０が本体ケース１から突出して後述のコンピュータと接続可能になる。
【００３９】
プリント板固定部１２に配されたプリント板１２Ａに配された発光素子１２Ｂは受光素子取付板１Ｘ上に配された収納用受光素子１Ｂ３、通信端子側受光素子１Ｃ３、検温部側受光素子１Ｄ３と対向し、前述のようにプリント板１２上の一端側に発光素子１２Ｂ、他端側に制御回路１２Ｉが配されている。
【００４０】
図６は、検温部１５、通信端子１０が本体ケース１および側壁１Ｑの中に収容されている図２におけるＹ−Ｙ断面図を示す。
【００４１】
プリント板固定部１２には軸１４、検温部１５が固定され、検温部１５、通信端子１０が本体ケース１の中に収められている状態では、図５と同じように操作部材４の一部である爪部４Ｃ１、４Ｃ２が、設けられた係止孔１Ｂ１、係止孔１Ｂ２にそれぞれ係止されている。
【００４２】
図７は、検温部１５で体温を測定した後に、通信端子１０を本体ケース1に接続する本体ケース側蓋１Ｑから非突出状態から完全に突出させる間の過程を示す図である。
【００４３】
操作部材４の本体ケース上蓋１Ｐの側に設けられた爪部４Ｃ１、４Ｃ２が、係止孔１Ｂ１、係止孔１Ｂ２にそれぞれ係止した状態で、操作部材４の後端部４Ｆを押して爪部４Ｃ１が係止孔１Ｂ１から、爪部４Ｃ２が係止孔１Ｂ２から脱出し、バネ１１の力の方向に従って操作部材４を図面右方向に移動させ、通信端子１０を本体ケース側蓋１Ｑの植毛部１８から突出させる。
【００４４】
図８は、爪部４Ｃ１が係止孔１Ｃ１に、爪部４Ｃ２が係止孔１Ｃ２に係止し、通信端子１０が本体ケース１に固定された本体ケース側蓋１Ｑから完全に突出した状態、発光素子１２Ｂは通信側受光素子１Ｃ３と対向した位置にある。
【００４５】
通信端子１０が本体ケースに固定された本体ケース側壁１Ｑから突出した状態から、操作部材４の後端部４Ｆを押すことにより爪部４Ｃ１と係止孔１Ｃ１との係止が外れると共に爪部４Ｃ２が係止孔１Ｃ２との係止が外れ、バネ１１の力に抗して操作部材４を図面左方向に移動させると、爪部４Ｃ１、４Ｃ２が係止孔に係止しない図６の状態を経て、図２の状態、すなわち爪部４Ｃ１は係止孔１Ｂ１、爪部４Ｃ２は係止孔１Ｂ２と係止して止まり、通信端子１０および検温部１５が本体ケースに収容され、通信端子１０および検温部１５が非突出状態にすることができる。
【００４６】
図９は、再び、体温を測定するために、通信端子１０を本体ケース１の中に退避させ、検温部１５を本体ケース１から突出させて検温可能にさせた図を示す。
【００４７】
爪部４Ｃ１が係止孔１Ｃ１、爪部４Ｃ２が係止孔１Ｃ２に係止している状態（図８の状態）から操作部材４の後端部４Ｆを押すと、その係止が外れバネ１１の力の方向に操作部材４を移動可能となる。図７の状態を経て図９の状態になるように操作部材４を移動させて、爪部４Ｃ１は係止孔１Ｄ１と、爪部４Ｃ２は係止孔１Ｄ２と係止して操作部材４は停止し、検温部１５が図８のように本体ケース１から突出して、検温釦７を押すことにより制御回路１２Ｉが作動して検温可能となる。
【００４８】
図１０は、本体ケース１に固定された表示板９の表示内容を示す。
【００４９】
９Ｂは、被験者が検温した検温日付、体温計の識別番号を示す体温計ＩＤ、被験者の識別番号を示す被験者ＩＤを入力する入力項目部を示し、９Ｃは本発明の体温計がどの状態であるかを示す状態表示部を示し、９Ｄは本発明の体温計によって検温された被験者の体温を表示する体温表示部を示す。
【００５０】
図１１は表示板９の構造を示す。
【００５１】
９Ｅは、液晶表示板を、９Ｆは、液晶表示板９Ｅと同一形状で本体ケース１に取り付ける基板を、９Ｇ、９Ｆは液晶表示板９Ｅと基板９Ｆとの間を塞ぐスペーサを示す。
【００５２】
９Ｌは、液晶表示板９の入力項目部９Ｂを点灯して表示する面光源、９Ｍは、液晶表示板９の体温表示部９Ｄを点灯して表示する面光源を示す。
【００５３】
状態表示部９Ｃは各項目の傍の破線で囲まれる領域は電源投入により透過する液晶の透過部を示し、その下部にある９Ｘ，９Ｙ１，９Ｙ２，９Ｙ３，９Ｚ１，９Ｚ２，９Ｚ３は赤色のＬＥＤ製の点光源を示す。
【００５４】
前もって入力した検温日付、体温計ＩＤ、被験者ＩＤは被験者を示す識別番号を、通信端子１０を介して不図示のコンピュータから入力される。
【００５５】
その中で検温部１５および通信端子１０が本体ケース１内から突出しないで収納されているとき、表示板９に記載された「収容中」の傍の、点光源９Ｘが点灯し、検温部１５が本体ケース１から突出して検温可能なときに、「検温可能」の傍の点光源９Ｙ１が点灯し、検温釦７を押して制御回路１２Ｉの中にある不図示の検温回路をオンすると「検温開始」の傍の点光源９Ｙ２が点灯し、所定時間を経過して検温終了信号が制御回路１２Ｉから発せられると検温が終了するとともに「検温終了」の傍の点光源９Ｙ２が点灯して表示される。
【００５６】
通信端子１０が本体ケース１に固定された本体ケース側蓋１Ｑから突出して通信可能なときに表示板９に記載された「送信可能」の傍の点光源９Ｚ１が点灯し、通信釦８を押して制御回路１２Ｉの不図示の通信回路をオンして送信が開始すると共に「送信開始」の傍の点光源９Ｚ３が点灯し、送信が終了する。
【００５７】
図１２は、本発明を構成する各要素の作動を制御するブロック図を示す。
【００５８】
本発明の体温計を構成する各要素の作動は、プリント板１２Ａに配された制御回路１２Ｉによって制御される。制御回路１２Ｉには、被験者の検温動作、検温結果をコンピュータ３３に送信する状態を表示する表示部９、３２で示す電池、電池からの電源を供給するためのＳＷ１で示す電源スイッチ３３を接続する。しかしコンピュータ３３が接続されると、そのコンピュータ３３から必要な電源が供給されることも可能である。制御回路１２Ｉには、オンすることにより検温開始をさせる検温釦７、検温結果をコンピュータ３３に通信端子１０を介して送信を開始する送信釦８、操作部材４の移動によって検温と送信を切り換える発光素子１２Ｂ、検温部側受光素子１Ｄ３、収納用受光素子１Ｂ３、通信端子側受光素子１Ｃ３が接続されている。さらに、制御回路１２Ｉには、それぞれの受光素子の出力の大きさによって点灯する点光源９Ｘ、９Ｙ１〜９Ｙ３、９Ｚ１〜９Ｚ３、入力項目表示部９Ａおよび体温表示部９Ｄを照明する面光源９Ｌおよび９Ｍが接続されている。
【００５９】
また、前述したように接続したコンピュータ３３から入力された年月日、時刻情報、被験者ＩＤ、体温計ＩＤの情報が、制御回路Ｉ２Ｉに制御されて表示部９に表示される。
【００６０】
図１２では、制御回路１２Ｉに時計回路１２１Ｔを設ければ、接続するコンピュータ３３から時計情報を取得する必要がない。時計回路を制御回路１２Ｉの中に設けると、検温するときの測定するときの体温を記録することができる。但し、検温直前にコンピュータ３３から時計情報を入力するようにすれば、時計回路を制御回路に設けずにコンピュータ３３から時計情報を取得できる。
【００６１】
図１３は、本発明を構成する各要素の作動を示し、制御回路１２Ｉのプログラムの内容を示すフローチャートである。
【００６２】
まず、Ｓ１で電源の供給を開始する電源スイッチＳＷ１がオンする。Ｓ２で、現在のモードが体温計で被験者の体温を測定する検温モードか、それとも検温した体温を外部のコンピュータに送信するモードか、それとも検温もコンピュータへの送信を行なわないモードのうち、どのモードかを、受光素子１Ｂ３、１Ｃ３、１Ｄ３の内、最大値はどの受光素子であるかによって検出する。すなわち、操作部材４の位置、すなわち操作部材４から延びた爪部４Ｃ１、４Ｃ２がどの係止孔に係止し、本体ケース上蓋１Ｐに取り付けられた受光素子基板１Ｘに配された検温部側受光素子１Ｄ３、収納用受光素子１Ｂ３、通信側端子受光素子１Ｃ３のどの受光素子が、発光素子１２Ｂの光を受ける受光出力の最大な受光素子の受光出力かによって判定する。
【００６３】
Ｓ３で、爪部４Ｃ１、４Ｃ２が係止孔１Ｂ１、１Ｂ２に係止しているかを、発光素子１２Ｂによる、収納用受光素子１Ｂ３の受光出力が他の受光素子よりも大きいと判別すると、収納モードであると判定し、図９で示す「収納中」の傍の点光源９Ｘが点灯する。
【００６４】
Ｓ４で、操作部材４を移動させると、点光源９Ｘは消灯し、さらに操作部材４を移動させて、爪部４Ｃ１、４Ｃ２が係止孔１Ｄ１、１Ｄ２に係止し、検温部側受光素子１Ｄ３の発光素子１２Ｂによる受光出力が他の受光素子よりも大きいと判別すると、検温モードであると判定し、「検温可能」の傍の点光源９Ｙ１が点灯する。
【００６５】
Ｓ５で、検温釦７をオンすると、Ｓ５で制御回路１２Ｉが検温釦オンを検知して検温開始し、「検温開始」の傍の点光源９Ｙ２が点灯し、検温中であることを表示する。
【００６６】
Ｓ６で、検温釦７のオンから所定時間（ｔ０）経過したと判定すると、「検温終了」の傍の点光源９Ｙ３が点灯して検温終了が表示され、Ｓ８で体温を出力し、記憶し、制御回路１２Ｉに接続した体温表示部９Ｄに表示される。
【００６７】
Ｓ９で、爪部４Ｃ１、４Ｃ２が第１の例では係止孔１Ｃ１、１Ｃ２に係止し、通信側受光素子１Ｂ３の出力が他の受光素子の出力よりも大きいと判別すると、送信モードであると判定し、制御回路により「送信可能」の傍の点光源９Ｚ１が点灯する。
【００６８】
Ｓ１０で、通信端子１０がコンピュータ３３に接続されていると、Ｓ１１で送信釦８がオンされることを制御回路１２Ｉが判別すると、「送信開始」の傍の点光源９Ｚ２が点灯し、Ｓ１２でコンピュータに体温情報が送信開始されていることが表示され、送信が終了するとＳ１３で「送信終了」の傍の点光源９Ｚ３が点灯し送信終了が表示される。
【００６９】
図１４は、本発明の体温計を示す第２の例の斜視図を示し、図１の第１の例では通信端子１０及び検温部１５は本体ケース１と植毛部３で隠されていたが、第２の例では植毛部３の代わりに後述の通信端子側蓋および検温部側蓋により隠されている。
【００７０】
２１は本体ケースを示し、第１の例で上蓋１Ｐが上部を開放した本体ケース１を覆う形であったと同じように、２１Ｐで示す上蓋が上部を開放した本体ケース２１に取り付けられる形状をしている。２２、２３は、操作部材４の検温部側マーク５への移動操作により検温部１５が移動して押し出されて検温部が通る開口部を開放する検温部蓋を示し、それによって検温部側蓋が開放される。また、同じく操作部材４の通信端子側マーク６への移動操作により、通信端子１０の移動により、２４、２５で示す通信端子側蓋が開く。
【００７１】
図１５は、第２の例で本体ケース上蓋２１Ｐを上から見た図を示す。
【００７２】
操作部材４が移動するための２１Ａで示す長溝と、操作部材４に設けられた爪部４Ｃ１、４Ｃ２が、爪部４Ｃ１が２１Ｂ１、２１Ｃ１、２１Ｄ１で示す係止孔の何れかと係止すると共に爪部４Ｃ２は、２１Ｂ２、２１Ｃ２、２１Ｄ２で示す係止孔の内、爪部４Ｃ１が係止した係止孔と対向する係止孔と係止する。係止した状態のとき、プリント板固定部１２に取り付けられた発光素子１２Ｂは、２１Ｐで示す本体ケース上蓋の裏面に取り付けられた２１Ｘで示す受光素子取付板に載置された、２１Ｂ３で示す収納用受光素子、２１Ｃ３で示す通信端子側受光素子、２１Ｄ３で示す検温部側受光素子の一つと対向する。
【００７３】
図１６は、本発明の第２の例で、検温部１５及び通信端子１０が本体ケース２１に対して非突出状態を示す図である。
【００７４】
図３と同じように、操作部材４は、ＵＳＢ端子、ＩＥＥＥ１３９４端子等の通信端子１０を固定する通信端子固定部４Ａと、長溝２１Ａを貫通した軸部４Ｂと、軸部４Ｂを対称に２つの爪部４Ｃ１、４Ｃ２と、操作部材４の後端部４Ｆ押して軸４Ｂを点線方向に移動させることにより弾性力を発生させる、腕部４Ｄと一体的に形成されている。爪部４Ｃ１は、本体ケース２１に設けられた係止孔２１Ｂ１、爪部４Ｃ２は本体ケース２１に設けられた係止孔２１Ｂ２と略同時に係止する。操作部材４の後端部４Ｆを押すと軸４Ｂは点線方向に移動し、爪４Ｃ１、４Ｃ２と係止孔２１Ｂ１、２１Ｂ２との係止が外れ、次の係止孔と係止可能になる。
【００７５】
検温部側蓋２２は２２Ａで示す回転軸、検温部側蓋２３は２３Ａで示す回転軸を備え、通信端子側蓋２４は２４Ａで示す回転軸、通信端子側蓋２５は２５Ａで示す回転軸を備える。２２Ｂ１、２２Ｂ２、２３Ｂ１、２３Ｂ２は検温部側蓋２２、２３とプリント板固定部１２の間でそれぞれ係止する場所は不図示であるが、検温部側蓋２２、２３の閉鎖方向に付勢するように作動するバネを示す。２４Ｂ１、２５Ｂ１、２４Ｂ２、２５Ｂ２は、通信端子側蓋２４、２５と操作部材４Ａの間でそれぞれ係止する場所は不図示であるが、通信端子側蓋２４、２５の閉鎖方向に付勢するように作動するバネを示す。それぞれのバネの位置関係は後述の図１７、１８に示す。
【００７６】
操作部材４を、図面上左方向に移動させることにより検温部１５の移動によりバネ２４Ｂ１、２４Ｂ２、２５Ｂ１、２５Ｂ２の力に抗して検温部側蓋２２、２３は回転軸２２Ａ、２３Ａを中心に回転して押し出され、検温部１５が突出する開口が形成される。
【００７７】
また、操作部材４を移動させることにより通信端子１０の移動によりバネ２２Ｂ１、２２Ｂ２、２３Ｂ１、２３Ｂ２の力に抗して通信端子側蓋２４、２５は回転軸２４Ａ、２５Ａを中心に回転されて押し出され、通信端子１０が突出する開口が形成される。
【００７８】
図１７は、第２の例で本体ケースの内部を通信端子側から見た、Ｕ−Ｕ断面図を示す。
【００７９】
本体ケース２１の長溝２１Ａを貫通した操作部材４から伸びた軸４Ｂ、図１７では不図示であるが、腕部４Ｄ、摺動部４Ｅを介して通信端子固定部４Ａに通信端子１０が取り付けられている。通信端子固定部４Ａの形状は溝１Ａを通る軸部４Ｂから伸びた通信端子１０と略同幅の形状の通信端子固定部４Ａが設けられ、通信端子１０が固定される。また操作部材４の一部である爪部４Ｃ１、４Ｃ２が、ここでは本体ケース２１に設けられた係止孔２１Ｂ１、２１Ｂ２にそれぞれ係止している。操作部材４を長溝２１Ａに沿って移動させると通信端子固定部４Ａと接続する摺動部４Ｅは、２１Ｓで示す内底部に設けた２１Ｔ１、２１Ｔ２の壁の間を、図５と同じように内底部２１Ｓを倒れることなくスムーズに摺動しながら移動する。
【００８０】
操作部材４の一部である爪部４Ｃ１、４Ｃ２が、ここでは本体ケース２１に設けられた係止孔２１Ｂ１、２１Ｂ２にそれぞれ係止した状態のとき、プリント板固定部１２に取り付けられた発光素子１２Ｂは、本体ケース上蓋１Ｐの裏面に取り付けられた２１Ｘで示す受光素子取付板に載置された通信端子側受光素子２１Ｂ３、収納用受光素子２１Ｃ３、検温部側受光素子２１Ｄ３の一つと対向するように配置し、制御回路１２Ｉはプリント板１２Ａ上で、通信端子側受光素子２１Ｂ３、収納用受光素子２１Ｃ３、検温部側受光素子２１Ｄ３と対向しない位置に配置する。
【００８１】
また、通信端子側蓋２４に接続するバネ２４Ｂ１、２４Ｂ２が、同じく通信端子側蓋２５と接続するバネ２５Ｂ１、２５Ｂ２が通信端子固定部４Ａにそれぞれ接続する。
【００８２】
図１８は、第２の例で本体ケースの内部を検温部側から見た、Ｖ−Ｖ断面図を示す。
【００８３】
中央に検温部１５、その外周に軸１４、プリント板固定部１２があり、プリント板固定部１２と検温部側蓋２２との間に検温部１５に対して略対称にバネ２２Ｂ１、２２Ｂ２が係止する部位は不図示であるが配設されている。また、プリント板固定部１２と検温部側蓋２３との間に係止位置は不図示であるが配設されている。図４と同じように、操作部材４の一部である爪部４Ｃ１、４Ｃ２が、ここでは本体ケース２１に設けられた係止孔２１１Ｂ１、係止孔２１Ｂ２にそれぞれ係止している。
【００８４】
図１９は、第２の例で通信端子１０の突出状態を示す図である。
【００８５】
操作部材４の図面上で右方向の移動により通信端子１０が通信端子側蓋２４および２５を、バネ２２Ｂ１、２２Ｂ２、２３Ｂ１、２３Ｂ２のバネ力に抗して開放させて突出し、爪部４Ｃ１が係止孔２１Ｃ１に、爪部４Ｃ２が係止孔２１Ｃ２に係止し、発光素子１２Ｂは通信側受光素子２１Ｃ３と対向した位置となる。
【００８６】
図２０は、第２の例で検温部１５の突出状態を示す図である。
【００８７】
操作部材４の図面上で左方向の移動により検温部１５は検温部側蓋２２および２３を、バネ２４Ｂ１、２４Ｂ２、２５Ｂ１，２５Ｂ２のバネ力に抗して開放させて突出し、爪部４Ｃ１が係止孔２１Ｄ１、爪部４Ｃ２が係止孔２１Ｄ２に係止し、発光素子１２Ｂは、検温部側受光素子２１Ｄ３と対向した位置となる。
【００８８】
図２１は、本発明の第３の例を示し、通信端子を用いずに９Ａで示すＩＤ入力端子を用いて体温計に被験者ＩＤ、体温計ＩＤを入力する。
【００８９】
図１では、コンピュータを使用して被験者ＩＤ、体温計ＩＤを入力して通信端子を介して体温計に入力していたが、図２１はコンピュータを使用せずにＩＤ入力部材を用いて体温計に入力するものである。
【００９０】
ＩＤ入力部材９Ａは表示部９に、被験者を識別する被験者ＩＤ、体温計を識別する体温計ＩＤを入力する。ＩＤ入力部材９Ａは、０〜９の数値とＥＮＴＥＲのキーからなり、０〜９のキーを例えば細い鉛筆の芯のような細い部材で押すことにより、被験者のＩＤの数値が入力され、ＥＮＴＥＲのキーを押し、次に体温計ＩＤの数値を入力して、ＥＮＴＥＲのキーを押して体温計の入力を完了する。
【００９１】
図２２は、本発明の体温計の第４の例を示し、記録部が通信端子１０の代わりに筆記用具を用いるものであり、その作動を制御する制御回路のブロック図を図２３で示す。
【００９２】
図２２は、これまで一端が検温部１５で、他端が通信端子１０からなっていたところ、図２２では通信端子１０の代わりに１０Ａで示すボールペン、シャープペンシル等の筆記用具を配して点である。検温部１５で測定された体温を表示部９でみて記録用紙に記録することができる。
【００９３】
図２３は、図１２に対して通信機能を省略したブロック図であるので、被験者ＩＤ、体温計ＩＤを入力するＩＤ入力部材９Ａを必要とし、図１２では、年月日等の時間情報はコンピュータ側から入力するので必ずしも時計回路１２ＩＴを必要としなかったが、図２３では、時計回路を必要とする。また、制御回路１２Ｉの作動を示すフローチャートは、図１３のフローチャートでＳ９からＳ１３を省いたフローチャートとなる。
【符号の説明】
【００９４】
１，２１・・・・・・・・・・・・・・・本体ケース
１Ｐ，２１Ｐ・・・・・・・・・・・・・本体ケース上蓋
１Ｑ・・・・・・・・・・・・・・・・・本体ケース側蓋
１Ａ，２１Ａ・・・・・・・・・・・・・長孔
１Ｓ，２１Ｓ・・・・・・・・・・・・・本体ケース内底部
１Ｔ１，１Ｔ２，２１Ｔ１，２１Ｔ２・・壁部
１Ｂ１，１Ｂ２，１Ｃ１，１Ｃ２，１Ｄ１，１Ｄ２，
２１Ｂ１，２１Ｂ２，２１Ｃ１，２１Ｃ２，２１Ｄ１，２１Ｄ２・・係止孔
１Ｂ３，２１Ｂ３・・収納用受光素子
１Ｃ３，２１Ｃ３・・・・・・・・・・・通信端子側受光素子
１Ｄ３，２１Ｄ３・・・・・・・・・・・検温部側受光素子
１Ｘ，２１Ｘ・・・・・・・・・・・・・受光素子取付板
２・・・・・・・・・・・・・・・・・・植毛植立部
３・・・・・・・・・・・・・・・・・・植毛部
３Ａ・・・・・・・・・・・・・・・・・植毛取付部
４・・・・・・・・・・・・・・・・・・操作部材
４Ａ・・・・・・・・・・・・・・・・・通信端子固定部
４Ｂ・・・・・・・・・・・・・・・・・軸
４Ｃ１，４Ｃ２・・・・・・・・・・・・爪部
４Ｄ・・・・・・・・・・・・・・・・・後端部
４Ｅ・・・・・・・・・・・・・・・・・摺動部
４Ｆ・・・・・・・・・・・・・・・・・後端部
５・・・・・・・・・・・・・・・・・・検温部側マーク
６・・・・・・・・・・・・・・・・・・通信端子側マーク
７・・・・・・・・・・・・・・・・・・検温釦
８・・・・・・・・・・・・・・・・・・送信釦
９・・・・・・・・・・・・・・・・・・表示部
９Ａ・・・・・・・・・・・・・・・・・ＩＤ入力部材
９Ｂ・・・・・・・・・・・・・・・・・入力項目部
９Ｃ・・・・・・・・・・・・・・・・・状態表示部
９Ｄ・・・・・・・・・・・・・・・・・体温表示部
９Ｅ・・・・・・・・・・・・・・・・・液晶表示板
９Ｆ・・・・・・・・・・・・・・・・・基板
９Ｇ，９Ｈ・・・・・・・・・・・・・・スペーサ
９Ｌ，９Ｍ・・・・・・・・・・・・・・面光源
９Ｘ，９Ｙ１〜９Ｙ３，９Ｚ１〜９Ｚ３・点光源
１０・・・・・・・・・・・・・・・・・通信端子
１０Ａ・・・・・・・・・・・・・・・・筆記用具
１１・・・・・・・・・・・・・・・・・バネ
１２・・・・・・・・・・・・・・・・・プリント板固定部
１２Ａ・・・・・・・・・・・・・・・・プリント板
１２Ｂ・・・・・・・・・・・・・・・・発光素子
１２Ｉ・・・・・・・・・・・・・・・・制御回路
１３・・・・・・・・・・・・・・・・・バネ受け部
１４・・・・・・・・・・・・・・・・・軸
１５・・・・・・・・・・・・・・・・・検温部
１７・・・・・・・・・・・・・・・・・植毛植立部
１８・・・・・・・・・・・・・・・・・植毛部
２２、２３・・・・・・・・・・・・・・検温部側蓋
２２Ａ、２３Ａ・・・・・・・・・・・・回転軸
２２Ｂ１、２２Ｂ２、２３Ｂ１、２３Ｂ２・・・バネ
２４、２５・・・・・・・・・・・・・・通信端子側蓋
２４Ａ、２５Ａ・・・・・・・・・・・・回転軸
２４Ｂ１、２４Ｂ２、２５Ｂ１、２５Ｂ２・・・バネ
３１・・・・・・・・・・・・・・・・・制御回路
３２・・・・・・・・・・・・・・・・・電池
３３・・・・・・・・・・・・・・・・・モード設定スイッチ
３４・・・・・・・・・・・・・・・・・コンピュータ
３５・・・・・・・・・・・・・・・・・時計回路
【図１】
2013164265.tif 000003
【図２】
2013164265.tif 000004
【図３】
2013164265.tif 000005
【図４】
2013164265.tif 000006
【図５】
2013164265.tif 000007
【図６】
2013164265.tif 000008
【図７】
2013164265.tif 000009
【図８】
2013164265.tif 000010
【図９】
2013164265.tif 000011
【図１０】
2013164265.tif 000012
【図１１】
2013164265.tif 000013
【図１２】
2013164265.tif 000014
【図１３】
2013164265.tif 000015
【図１４】
2013164265.tif 000016
【図１５】
2013164265.tif 000017
【図１６】
2013164265.tif 000018
【図１７】
2013164265.tif 000019
【図１８】
2013164265.tif 000020
【図１９】
2013164265.tif 000021
【図２０】
2013164265.tif 000022
【図２１】
2013164265.tif 000023
【図２２】
2013164265.tif 000024
【図２３】
2013164265.tif 000025
【図２４】
2013164265.tif 000026
【図２５】
2013164265.tif 000027